(57)【要約】【課題】冷却効果を低下させることなくバッグインボックスの装填や空容器の取り出し作業を容易になし得るようにしたウォーターサーバーを提供することを目的とする。【解決手段】天然水等のバッグインボックス５０を収納する収納部２を有する冷却庫本体１と、前記収納部を閉止する開閉自在な扉３と、前記収納部に設けられた冷却部４と、前記バッグインボックスの給水栓５２から注水する注水口５３と、を備えたウォーターサーバー２０において、前記冷却部４を前記収納部２の内壁から突出させ、前記バッグインボックスの外ケース５５の一部に前記冷却部に対応する開口部５７を形成した状態で該バッグインボックス５０を収納部２に収納することにより、前記冷却部で前記バッグインボックスのバッグ５１を凹ませる状態にして冷却部を前記バッグに接触させて内部の水を冷却するように構成した。【選択図】図１
2006327603.tif 000002
【特許請求の範囲】
【請求項１】
天然水等のバッグインボックスを収納する収納部を有する冷却庫本体と、前記収納部を閉止する開閉自在な扉と、前記収納部に設けられた冷却部と、前記バッグインボックスの給水栓から注水する注水口と、を備えたウォーターサーバーにおいて、前記冷却部を前記収納部の内壁から突出させ、前記バッグインボックスの外ケースの一部に前記冷却部に対応する開口部を形成した状態で該バッグインボックスを収納部に収納することにより、前記冷却部で前記バッグインボックスのバッグを凹ませる状態にして冷却部を前記バッグに接触させて内部の水を冷却するように構成したことを特徴とするウォーターサーバー。
【請求項２】
冷却部が収納部の後壁下部側に設けられていることを特徴とする請求項１に記載のウォーターサーバー。
【請求項３】
冷却部は冷却板をドーム状に形成したものであり、バッグインボックスの外ケースには円形の開口部を形成するための切り込み線等による切り取り部が設けられていることを特徴とする請求項１に記載のウォーターサーバー。
【請求項４】
バッグインボックスの給水栓には注水口と周方向に所定角度回動させることにより開栓又は閉栓するコックとが設けられていると共に該給水栓が収納部の開口縁部に配置された固定部で固定され、扉に配置されている操作部を介して前記コックを間接的に開閉操作するようにした注水機構が配置されていることを特徴とする請求項１〜３の何れかに記載のウォーターサーバー。
【請求項５】
給水栓を固定する固定部が、収納部の開口縁部に起立自在に軸支されると共に給水栓の付け根部が嵌合する凹部を有する起立挟持枠と、該起立挟持枠にスライド自在に保持されると共に前記給水栓の付け根部の他方側が嵌合する凹部を有するスライド挟持枠と、で構成され、前記起立挟持枠を起立させた状態で前記スライド挟持枠をスライドさせることによりギロチン形式で前記給水栓の付け根部を挟持するようになっていることを特徴とする請求項４に記載のウォーターサーバー。
【請求項６】
注水機構が、給水栓を固定部で固定することにより該給水栓のコックに係合爪が係合するように配置されたピニオンと扉の表面側に露呈するように配置されたスライドレバーの裏面側に配置されたラックとで構成され、前記スライドレバーをスライド操作することにより前記ラックおよびピニオンを介して前記コックを回動させるようになっていることを特徴とする請求項４に記載の気体溶解装置。
【請求項７】
バッグインボックスを使用する温水専用のウォーターサーバーと請求項１に記載の冷水用のウォーターサーバーとを並設して連結金具で分離可能に連結したことを特徴とする連結型のウォーターサーバー。
【発明の詳細な説明】
【技術分野】
【０００１】
本発明はバッグインボックスを使用するウォーターサーバーに係り、特に冷水用のウォーターサーバーにおいて、雑菌の侵入及び繁殖を阻止できると共に冷却効果を低下させることなくバッグインボックスの装填や空容器の取り出し作業を容易になし得るようにしたウォーターサーバーに関するものである。
【背景技術】
【０００２】
飲料水への雑菌の侵入、繁殖を阻止するために、天然水等を給水栓を有する柔軟な材料からなるバッグに封入し、これを段ボール箱等の外ケースに入れたバッグインボックスが使用されている。
【０００３】
従来、このバッグインボックスを使用するウォーターサーバーとしては、サーバー機に温水注水口と冷水注水口とを設けて単一のバッグインボックスから温水と冷水とを各別に注水できるようにした温冷水一体型のものや、ウォーターサーバー自体を温水専用のものと冷却水専用のものとに分離した形式のものがある。
【０００４】
温冷水一体型のものでは、温水が高温であると子供等が誤操作すると危険であると共に熱源と冷却部を同居させることは熱効率の点からも不利である。また、温冷水分離型のものにおいても、バッグインボックスから注水口までの飲料水の通過経路についてみると、温水用のものでは飲料水を加熱することにより雑菌等を死滅させることが期待できるが、冷却水用のものでは飲料水を多くの給水経路を通過させたりクーラー式タンクに貯蔵したりすることは雑菌の繁殖等を招く危険性がある。
【０００５】
このような観点から、前記バッグの収納部の底面側にバッグを直接冷却する冷却プレートを設置して、底面側を開いたバッグインボックスを収納部に装填することによりバッグを内部に落とし込ませるようにしたウォーターサーバーが提案されている。
【特許文献１】特開２００３−２０６０００号公報
【発明の開示】
【発明が解決しようとする課題】
【０００６】
特許文献１に記載のものは、雑菌の侵入や繁殖を阻止できる点で機能的に優れているが、特許文献１に記載のものにおいては、バッグインボックスを収納部へ装填する際に外ケースの底面を開放してから装填する必要があり、装填作業が面倒であると共にバッグを収納部に落とし込ませた後で外ケースを取り出すため、外ケースとバッグが分離されることとなってその後の廃棄処理等に不便を来すおそれがある。
【０００７】
本発明は、雑菌の侵入及び繁殖を阻止できると共に冷却効果を低下させることなくバッグインボックスの装填や空容器の取り出し作業を容易になし得るようにしたウォーターサーバーを提供することを目的とする。
【課題を解決するための手段】
【０００８】
本発明は、前記の課題を解決するために、請求項１に記載のものにおいては、天然水等のバッグインボックスを収納する収納部を有する冷却庫本体と、前記収納部を閉止する開閉自在な扉と、前記収納部に設けられた冷却部と、前記バッグインボックスの給水栓から注水する注水口と、を備えたウォーターサーバーであって、前記冷却部を前記収納部の内壁から突出させ、前記バッグインボックスの外ケースの一部に前記冷却部に対応する開口部を形成した状態で該バッグインボックスを収納部に収納することにより、前記冷却部で前記バッグインボックスのバッグを凹ませる状態にして冷却部を前記バッグに接触させて内部の水を冷却するように構成したことを特徴とする。
【０００９】
請求項２に記載のものは、冷却部が収納部の後壁下部側に設けられていることを特徴とし、請求項３に記載のものは、冷却部は冷却板をドーム状に形成したものであり、バッグインボックスの外ケースには円形の開口部を形成するための切り込み線等による切り取り部が設けられていることを特徴とする。
【００１０】
請求項４に記載のものは、バッグインボックスの給水栓には注水口と周方向に所定角度回動させることにより開栓又は閉栓するコックとが設けられていると共に該給水栓が収納部の開口縁部に設けられた固定部で固定され、扉に配置されている操作部を介して前記コックが間接的に開閉操作されるようになっていることを特徴とする。
【００１１】
請求項５に記載のものは、請求項４に記載のものにおいて、固定部が、収納部の開口縁部に起立自在に軸支されると共に給水栓の付け根部が嵌合する凹部を有する起立挟持枠と、該起立挟持枠にスライド自在に保持されると共に前記給水栓の付け根部の他方側が嵌合する凹部を有するスライド挟持枠と、で構成され、前記起立挟持枠を起立させた状態で前記スライド挟持枠をスライドさせることによりギロチン形式で前記給水栓の付け根部を挟持するようになっていることを特徴とする。
【００１２】
請求項６に記載のものは、請求項４に記載のものにおいて、注水機構が、給水栓を固定部で固定することにより該給水栓のコックに係合爪が係合するように配置されたピニオンと扉の表面側に露呈するように配置されたスライドレバーの裏面側に配置されたラックとで構成され、前記スライドレバーをスライド操作することにより前記ラックおよびピニオンを介して前記コックを回動させるようになっていることを特徴とする。
【００１３】
請求項７に記載のものは、バッグインボックスを使用する温水専用のウォーターサーバーと請求項１に記載の冷水用のウォーターサーバーとを並設して連結金具で分離可能に連結したことを特徴とする。
【発明の効果】
【００１４】
請求項１に記載のウォーターサーバーによれば、バッグインボックスの外ケースの一部に開口部を形成した状態で該バッグインボックスを収納部に装填すると、収納部の側壁から突出している冷却部が外ケースの前記開口部に対応しているため、該冷却部がウォーターサーバーのバッグを凹ませる状態でバッグと接触し、バッグ内の飲料水を冷却する。したがって、冷却機能を損なうことなく、いわばクールヘッド方式によりバッグを直接冷却することができる。
【００１５】
外ケースは収納部に装填されたままの状態であり、バッグは空になっても外ケースに収納されたままであるから、外ケースを取り出すと内部に空のバッグを収納したまま取り出すことができ、その後の廃棄処理等において便利である。
【００１６】
請求項２に記載のものによれば、冷却部が収納部の後壁下部側に設けられているから、バッグ内の飲料水は下層部から冷却され、いち早く冷水の注ぎ出しに対応することができる。また、請求項３に記載のものによれば、冷却部は冷却板をドーム状に形成したものであり、バッグインボックスの外ケースには円形の開口部を形成するための切り込み線等による切り取り部が設けられているから、該切り取り部を切り取ることにより容易に円形の開口部を形成することができ、冷却部は冷却板をドーム状に形成したものであるから、該冷却部が前記開口部から外ケースの内部に突出し、バッグを傷付けることなく凹ませて接触させることができる。
【００１７】
請求項４に記載のものによれば、扉に配置されている操作部を操作することによりバッグインボックスの給水栓を間接的に開閉操作するものであるから、給水栓のコックに直接手を触れることなく操作できて頗る衛生的であり、また、給水栓のコックが外部に露呈する従来の形式のものでは該給水栓近傍の扉表面に結露が生じて結露水が滴下する等により非衛生的となるが、このような結露のおそれもない。さらに、コックが外部に露呈していないから、他のものに引っかけたりして誤操作が生じることもない。
【００１８】
請求項５に記載のものによれば、前記固定部が、収納部の開口縁部に起立自在に枢支されると共に給水栓の付け根部が嵌合する凹部を有する起立挟持枠と、該起立挟持枠にスライド自在に保持されると共に前記給水栓の付け根部の他方側が嵌合する凹部を有するスライド挟持枠と、で構成されているから、前記起立挟持枠を起立させた状態で前記スライド挟持枠をスライドさせることにより前記給水栓の付け根部をギロチン形式で確実に挟持することができ、前記給水栓を簡単且つ容易に固定することができる。
【００１９】
請求項６に記載のものによれば、扉の表面側に露呈しているスライドレバーをスライド操作することにより、該スライドレバーの裏面側に配置されているラックと給水栓のコックに係合爪が係合するように配置されているピニオンとで前記コックを簡単に回動することができ、簡単且つ安価な機構で給止水操作を容易に行うことができる。
【００２０】
請求項７に記載のものによれば、バッグインボックスを使用する温水専用のウォーターサーバーと請求項１に記載の冷水用のウォーターサーバーとを並設して連結金具で分離可能に連結されているから、ウォーターサーバーの設置形態や設置条件等により、例えば、温水専用のウォーターサーバーを分離して別の場所に設置したりすることができる。
【発明を実施するための最良の形態】
【００２１】
バッグインボックス装填型のウォーターサーバーにおいて、冷却庫本体にはバッグインボックスを収納する前開き扉を有する収納部を設け、該収納部に設けられる冷却部は冷却プレートをドーム形状に形成して収納部の後壁下部の内壁から突出させる。前記バッグインボックスの外ケースの後壁下部には前記冷却部に対応する円形の開口部を形成し、この状態でウォーターサーバーを前方側から収納部に装填するようにする。これにより、前記冷却部で前記バッグインボックスのバッグを凹ませた状態にして冷却部を前記バッグに接触させる。
【実施例１】
【００２２】
図１〜図１２は本発明に係るウォーターサーバーの一実施例を示し、図１は冷水用のウォーターサーバー２０と温水用のウォーターサーバー４０とを分離した状態で示す斜視図であり、内部機構が見えるように透視的に表されている。図２はバッグインボックス（ＢＩＢ）の斜視図、図３は冷水用のウォーターサーバー２０の概略的断面図である。
【００２３】
本発明のウォーターサーバーは、図２（Ａ）に示すようなバッグインボックス（ＢＩＢ）５０を装填して使用する形式のものであり、特に冷却用のウォーターサーバー２０に特徴をもたせたものである。図１に示すように、冷却庫本体１には前記バッグインボックス５０を前面開口２ａ側から収納する前開き扉３付きの収納部２を設け、該収納部２に設けられる冷却部４としては、冷却プレートをドーム形状に形成してこれを収納部２の後壁２ｂの下部の内壁から突出させる。
【００２４】
バッグインボックス５０は、周知の如く、図２（Ｂ）に示すように、天然水等を給水栓５２を備えた柔軟材料からなるバッグ５１に封入してこれを段ボール製の外ケース５５に収納したものであり、実施例では縦長のブック型のものが示されている。前記バッグ５１に設けられる給水栓５２には下向きの注水口５３と水平方向に回動自在なコック５４とが設けられていて該コック５４を所定角度（一般には１８０゜）回動することにより栓体を開閉するようになっている。
【００２５】
本発明において使用されるバッグインボックス５０は、外ケース５５の前面下部に前記給水栓５２を突出させるための開口５６を、また、奥壁下部には前記円形の開口部５７を、それぞれ容易に形成できるようにするためのミシン目又は破線状切込線等による切り取り部が形成されている。なお、図示例では前記開口５６および円形の開口部５７を既に形成した状態で示されている。
【００２６】
前記バッグインボックス５０の外ケース５５の前壁５５ａに開口５６を形成して給水栓５２を引き出すと共に後壁５５ｂ下部には前記冷却部４に対応する円形の開口部５７を形成し、この状態でバッグインボックス５０を前面開口２ａ側から前記収納部２に装填するようにする。これにより、前記冷却部４で前記バッグインボックス５０のバッグ５１を凹ませた状態にして冷却部４を前記バッグ５１に接触させて内部の水を冷却するようにしたものである。
【００２７】
図１に示すように、前記収納部２の底板５には水抜き穴が形成されると共に左右側壁の下部には前記バッグインボックス５０を支持する支持レール６が設けられており、前記底板５の下方には水受けトレー７が挿抜自在に設けられている。図において、８は冷却庫本体１の下部に配置されたコンプレッサー等を含む冷却装置である。扉３はデザイン上前面に膨らみをもたせた形状となっており、下部には後に説明する注水機構のためのスライドレバーが配置されている。
【００２８】
前記収納部２の下部開口縁２ｃには前記給水栓５２を固定するための固定部９が設けられている。この固定部９は、図４に明示するように、前記下部開口縁２ｃに下端が軸支されていて起立自在になっていると共に前記給水栓５２の付け根部が嵌合する凹部１０ａを有する起立挟持枠１０と、該起立挟持枠１０にスライド自在に保持されると共に前記給水栓５２の付け根部の他方側が嵌合する凹部１１ａを有するスライド挟持枠１１と、で構成されており、前記起立挟持枠１０を起立させた状態で前記スライド挟持枠１１をスライド降下させることによりギロチン形式で前記給水栓５２の付け根部を挟持するようになっている。なお、１０ｂは前記凹部１０に形成した位置決め溝であって、この位置決め溝１０ｂに前記給水栓５２の注水口５３を位置決めすることにより給水栓５２が所定の位置に固定されるようになっている。１１ｂは前記スライド挟持枠１１の一側上端部に設けたストッパー爪であって、前記スライド挟持枠１１をスライド降下させた際に、前記収納部２の前面開口２ａの開口縁部に設けたストッパー２ｄ（図８）に係合して前記起立挟持枠１０およびスライド挟持枠１１が前後方向に倒れないようになっている。１２は前記注水口５３に対応させた位置に孔１２ａを穿孔したガイドプレートである。
【００２９】
冷水用のウォーターサーバー２０には、扉３の表面側から操作することにより間接的に前記給水栓５２を開閉操作できる注水機構１３（図９）が設けられている。この注水機構１３は、図４〜図１０に示すように、給水栓５２を固定部９で固定することにより該給水栓５２のコック５４に係合する係合爪１４ａを有するピニオン１４と、扉３の表面側に露呈するように配置されたスライドレバー１６の裏面側に配置されたラック１５とで構成され、前記スライドレバー１６をスライド操作することにより前記ラック１５およびピニオン１４を介して前記コック５４を回動させるようになっている。
【００３０】
前記ピニオン１４は前記スライド挟持枠１１の正面側に配置されており、図１０に示すように、下面側には一方の爪をやや長くした二股状の係合爪１４ａを備えており、スライド挟持枠１１がスライド降下して前記給水栓５２の首部を挟持すると前記係合爪１４ａで前記コック５４を挟むようになっている。前記扉３の表面側に形成した操作窓３ａ（図１２）からスライドレバー１６の摘み部１６ａが突出するようになっており、前記ラック１５は前記スライドレバー１６の裏面側に配置されていて、扉３を閉めるとラック１５が前記ピニオン１４に噛合するようになっている。なお、図示例では、前記ラック１５は平板状をなすスライドレバー１６の後端面に形成してあるが、扉３に配置される摘み部１６ａの高さ位置と前記ピニオン１４の配置位置との関係から、スライドレバー１６の形状及びラックの形成位置は任意に設計することができる。図１及び図１２において、１７はコップ載置台である。
【００３１】
前記のように構成された冷水用のウォーターサーバー２０は単独で設置することもできるが、図１および図１２に示すように、冷水用のウォーターサーバー２０と温水専用のウォーターサーバー４０とを並設することができ、この場合には冷水用のウォーターサーバー２０と温水専用のウォーターサーバー４０を連結金具３０で分離可能に連結する。
【００３２】
温水専用のウォーターサーバー４０は従来形式のものと同様のものであるが、実施例では特に縦長のものとし、バッグインボックス５０もこれに対応するように縦長形式のものとして、冷水用のウォーターサーバー２０と並設した際に、該冷水用のウォーターサーバー２０の上面に載置スペースが形成されるようにしてコップその他の容器類やコーヒー等の飲用物を載置できるようになっている。
【００３３】
前記のように、温水専用のウォーターサーバー４０は従来形式のものと同様に、バッグインボックス５０の給水栓を配管接続部４１に接続し、タンク４２で加温して給湯口４３から温水を注水するものであるが、図１２に示すように、実施例では扉４５に設けた押しボタン式の摘み４６を押し込むことにより給湯口４３のコックレバー４４を倒して給湯するようになっており、コックレバー４４を直接手で操作する従来のものでは熱湯による火傷の危険があったが、その危険を防止できるようにした。前記摘み４６は常態においては押し込み不能にロックされていて、該摘み４６を横にずらしてロックを解除すると押し込み可能となるようにしてある。
【図面の簡単な説明】
【００３４】
【図１】ウォーターサーバーを内部機構が見えるように透視的に表した斜視図であり、温水専用のウォーターサーバーを分離した状態で示している。
【図２】バッグインボックス（ＢＩＢ）の斜視図であり、（Ａ）は内部を透視的に表した斜視図、（Ｂ）はバッグの斜視図である。
【図３】冷水用のウォーターサーバーの概略的断面図である。
【図４】給水栓の固定部を起立させる途中の状態で示す斜視図である。
【図５】注水機構におけるピニオンと給水栓のレバーとの関係を示す斜視図である。
【図６】注水機構を扉を開いた状態で示す斜視図である。
【図７】注水機構におけるピニオンとラックの噛合状態を示す斜視図である。
【図８】ピニオンと給水栓のレバーとの関係をスライド挟持枠のスライド降下前の状態で示す正面図である。
【図９】ピニオンとラックを示す平面図である。
【図１０】ピニオンの側面図である。
【図１１】温水専用のウォーターサーバーにおける給湯部の側面図である。
【図１２】冷水用のウォーターサーバーと温水専用のウォーターサーバーとを並設して連結した状態を示す斜視図である。
【符号の説明】
【００３５】
２０    冷却用のウォーターサーバー
１      冷却庫本体
２      収納部
３      扉
４      冷却部
５      底板
６      支持レール
８      冷却装置
９      給水栓の固定部
１０    起倒挟持枠
１０ａ  凹部
１１    スライド挟持枠
１１ａ  凹部
１３    注水機構
１４    ピニオン
１４ａ  係合爪
１５    ラック
１６    スライドレバー
３０    連結金具
４０    温水専用のウォーターサーバー
５０    バッグインボックス
５１    バッグ
５２    給水栓
５３    注水口
５４    レバー
５５    外ケース
５６    開口
５７    開口部
【図１】
2006327603.tif 000003
【図２】
2006327603.tif 000004
【図３】
2006327603.tif 000005
【図４】
2006327603.tif 000006
【図５】
2006327603.tif 000007
【図６】
2006327603.tif 000008
【図７】
2006327603.tif 000009
【図８】
2006327603.tif 000010
【図９】
2006327603.tif 000011
【図１０】
2006327603.tif 000012
【図１１】
2006327603.tif 000013
【図１２】
2006327603.tif 000014
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
天然水等のバッグインボックスを収納する収納部を有する冷却庫本体と、前記収納部を閉止する開閉自在な扉と、前記収納部に設けられた冷却部と、前記バッグインボックスの給水栓から注水する注水口と、を備えたウォーターサーバーにおいて、前記冷却部を前記収納部の内壁から突出させ、前記バッグインボックスの外ケースの一部に前記冷却部に対応する開口部を形成した状態で該バッグインボックスを収納部に収納することにより、前記冷却部で前記バッグインボックスのバッグを凹ませる状態にして冷却部を前記バッグに接触させて内部の水を冷却するように構成したことを特徴とするウォーターサーバー。
【請求項２】
冷却部が収納部の後壁下部側に設けられていることを特徴とする請求項１に記載のウォーターサーバー。
【請求項３】
冷却部は冷却板をドーム状に形成したものであり、バッグインボックスの外ケースには円形の開口部を形成するための切り込み線等による切り取り部が設けられていることを特徴とする請求項１に記載のウォーターサーバー。
【請求項４】
バッグインボックスの給水栓には注水口と周方向に所定角度回動させることにより開栓又は閉栓するコックとが設けられていると共に該給水栓が収納部の開口縁部に配置された固定部で固定され、扉に配置されている操作部を介して前記コックを間接的に開閉操作するようにした注水機構が配置されていることを特徴とする請求項１〜３の何れかに記載のウォーターサーバー。
【請求項５】
給水栓を固定する固定部が、収納部の開口縁部に起立自在に軸支されると共に給水栓の付け根部が嵌合する凹部を有する起立挟持枠と、該起立挟持枠にスライド自在に保持されると共に前記給水栓の付け根部の他方側が嵌合する凹部を有するスライド挟持枠と、で構成され、前記起立挟持枠を起立させた状態で前記スライド挟持枠をスライドさせることによりギロチン形式で前記給水栓の付け根部を挟持するようになっていることを特徴とする請求項４に記載のウォーターサーバー。
【請求項６】
注水機構が、給水栓を固定部で固定することにより該給水栓のコックに係合爪が係合するように配置されたピニオンと扉の表面側に露呈するように配置されたスライドレバーの裏面側に配置されたラックとで構成され、前記スライドレバーをスライド操作することにより前記ラックおよびピニオンを介して前記コックを回動させるようになっていることを特徴とする請求項４に記載のウォーターサーバー。
【請求項７】
バッグインボックスを使用する温水専用のウォーターサーバーと請求項１に記載の冷水用のウォーターサーバーとを並設して連結金具で分離可能に連結したことを特徴とする連結型のウォーターサーバー。